(57)【要約】【課題】  感電の危険性を回避することのできるエキシマランプ点灯装置および光線治療装置を提供することにある。【解決手段】交流電源２と、電源スイッチ５４と、フィルタ回路５６と、ＡＣ−ＤＣ変換回路５７と、インバータ回路５８と、昇圧トランス９１と、エキシマランプ９４とからなるエキシマランプ点灯装置において、エキシマランプ９４の低圧側９２およびフィルタ回路５６から高周波成分をバイパスする第１の接地線６２は導電性の装置本体５に電気的に接続され、導電性の装置本体５に電気的に接続された第２の接地線６１は電源プラグ３の接地端子３Ｂを介してアース１２に接続され、第２の接地線６１に当該接地線６１に流れる電流を検出する電流センサ６３を設け、電流センサ６３に電流が流れたことを検出したとき、エキシマランプ９４の点灯を可とする信号を出力する接地検出回路６４を設けたことを特徴とするエキシマランプ点灯装置である。【選択図】図１
2009022410.tif 000002
【特許請求の範囲】
【請求項１】
交流電源と、該交流電源から供給された交流電圧の入切を制御する電源スイッチと、前記交流電源から供給された交流電圧の高周波成分をバイパスするフィルタ回路と、該フィルタ回路から出力された交流電圧を直流電圧に変換するＡＣ−ＤＣ変換回路と、該ＡＣ−ＤＣ変換回路から出力された直流電圧を高周波電圧に変換するインバータ回路と、該インバータ回路から出力された高周波電圧を昇圧する昇圧トランスと、該昇圧トランスから出力された高周波高電圧が印加されて点灯するエキシマランプとからなるエキシマランプ点灯装置において、
前記エキシマランプの低圧側および前記フィルタ回路から高周波成分をバイパスする第１の接地線は前記エキシマランプ点灯装置の導電性の装置本体に電気的に接続され、前記導電性の装置本体に電気的に接続された第２の接地線は給電端子と接地端子を有する電源プラグの接地端子を介してアースに接続され、前記第２の接地線に該第２の接地線に流れる電流を検出する電流センサを設け、前記電流センサに電流が流れたことを検出したとき、前記エキシマランプの点灯を可とする信号を出力する接地検出回路を設けたことを特徴とするエキシマランプ点灯装置。
【請求項２】
前記フィルタ回路は、前記交流電圧の電源ライン間に少なくとも直列接続された複数のコンデンサから構成され、前記第１の接地線の一端は前記直列接続されたコンデンサ間に接続されていることを特徴とする請求項１に記載のエキシマランプ点灯装置。  
【請求項３】
交流電源に接続される給電端子と接地端子を有する電源プラグと、交流電源から供給された交流電圧の入切を制御する電源スイッチ、前記交流電源から供給された交流電圧の高周波成分をバイパスするフィルタ回路、該フィルタ回路から出力された交流電圧を直流電圧に変換するＡＣ−ＤＣ変換回路、および該ＡＣ−ＤＣ変換回路から出力された直流電圧を高周波電圧に変換するインバータ回路を収納する電源ボックスと、前記インバータ回路から出力された高周波電圧を昇圧する昇圧トランス、および該昇圧トランスから出力された高周波高電圧が印加されて点灯するエキシマランプを収納する灯具と、移動手段を備えた台座と、前記電源ボックスに固定された支柱と、一端に灯具を支持し他端において前記支柱に支持されるアームとからなる光線治療装置において、
前記エキシマランプの低圧側は、導電性の前記灯具、導電性の前記アーム、および導電性の前記支柱を介して導電性の前記電源ボックスに電気的に接続され、前記フィルタ回路から高周波成分をバイパスする第１の接地線は前記導電性の電源ボックスに電気的に接続され、導電性の前記電源ボックスに電気的に接続された第２の接地線は前記電源プラグの接地端子を介してアースに接続され、前記第２の接地線に該第２の接地線に流れる電流を検出する電流センサを設け、前記電流センサに電流が流れたことを検出したとき、前記エキシマランプの点灯を可とする信号を出力する接地検出回路を設けたことを特徴とする光線治療装置。  
【発明の詳細な説明】
【技術分野】
【０００１】
本発明は、エキシマランプ点灯装置および光線治療装置に係わり、特に、紫外線光源としてエキシマランプを用いたエキシマランプ点灯装置および光線治療装置に関する。
【背景技術】
【０００２】
従来、エキシマランプを光源とし、該光源から照射される紫外線を皮膚に照射して乾療治療等を行う光線治療装置が知られている。
【０００３】
図４は、光線治療装置の光源として、特開平６−２３１７３３号公報に示されたエキシマランプの概略構成を示す図である。
同図に示すように、エキシマランプ１００は、放電容器１０１が全長約３００ｍｍの石英ガラス製で外径Ｄ１が６ｍｍの内側管１０２、および内径Ｄ２が８ｍｍの外側管１０３を同軸に配置して中空円筒状に形成されており、内側管１０２および外側管１０３は誘電体バリヤ放電の誘電体と取り出し窓部材を兼ねる石英ガラスから構成されている。内側管１０２および外側管１０３の外面に光を透過する金属網からなる電極１０４、１０５が設けられており、放電用ガスとして放電空間１０６にキセノンと塩素が充填されている。このようなエキシマランプ１００を交流電源１０７で点灯すると、放電空間におけるエキシマ分子の密度も高く維持され、光出力低下の少ない紫外線を放射させることができる。
【０００４】
図５は、エキシマランプを点灯する光源装置として、特開平１１−２３３０７１号公報に示された光源装置の回路構成を示す図である。
同図において、光源装置２００は、給電前段部２０１において、商用電源ライン２０２から入力された交流電圧が、例えば、ダイオードブリッジ等により構成される整流回路２０３、平滑コンデンサ２０４により直流電圧２０５に変換される。直流電圧２０５には、ＦＥＴ等を利用したスイッチ素子２０６、ダイオード２０７、チョークコイル２０８、平滑コンデンサ２０９を接続することにより、電圧可変直流電圧源が構成される。給電部２０１から出力された電圧可変直流電圧は、光源ユニット２１５内に含まれる各給電後段部（２１７、２１８、２１９・・・）に対して共通的に供給される。ここで、給電前段部２０１は、降圧チョッパ回路と呼ばれるもので、スイッチ素子２０６に付属するゲート駆動回路２１１に入力する矩形波的なゲート信号２１２のデューティサイクル比を増減することにより、電圧可変直流電圧を増減することができる。また、電圧可変直流電圧を安定化する制御は、抵抗分圧器等を利用した出力電圧検出回路２１０からの電圧測定信号２１３に基づいて、制御回路２１４において生成されたゲート信号２１２をゲート駆動回路２１１にフィードバックすることによって行う。なお、給電前段部２０１と光源ユニット２１５との距離が離れている場合は、光源ユニット２１５の入力側に平滑コンデンサ２１６を接続するとよい。
【０００５】
光源ユニット２１５において、各給電後段部２１７、２１８、２１９・・・のうちの１つの給電手段後段部２１７についてのみに構成が記載されているが、他の給電後段部２１８、２１９・・・も同様に構成され動作も同様である。給電後段部２１７においては、電圧可変直流電圧は、バイパスコンデンサ２２０で受け、ＦＥＴ等を利用したスイッチ素子２２１、２２２，２２３、２２４により構成されるインバータ回路に供給される。ここに示されるインバータ回路はフルブリッジインバータと呼ばれるものであり、各スイッチ素子２２１、２２２，２２３、２２４に付属の、左上と右下のインバータゲート駆動回路２２５、２２６の組、または右上と左下のインバータゲート駆動回路２２７、２２８の組について、組内のスイッチ素子が同時にオン駆動される期間を有し、また、このオン駆動される組が、交互に交番するように、ゲート信号２２９、２３０、２３１、２３２を入力することにより、昇圧トランス２３３の１次側に、極性が正負に変化する交流電圧が印加される。なお、昇圧トランス２３３の１次側には、偏励磁防止コンデンサ２３４を挿入する場合がある。このインバータ回路の起動や停止、または交互に交番するスイッチ素子２２１、２２２，２２３、２２４の適正なオン駆動を実現するゲート信号２２９、２３０、２３１、２３２は、制御回路２３５によって生成される。また、オン駆動されるスイッチ素子２２１、２２２，２２３、２２４が交互に交番する周波数は、周波数設定手段２３６により制御回路２３５に対して設定される。さらに、制御回路２１４と送受する光源ユニット制御信号２３７に基づき、各給電後段部２１７、２１８、２１９・・・の制御回路２３５に対するインバータ回路の起動や停止等の統括的制御は光源ユニット制御回路２３８によって行われる。昇圧トランス２３３の２次側には、巻数比に応じて昇圧され、設定された周波数に応じた周波数を有する、極性が正負に変化する交流高電圧２３９が発生する。各給電後段部２１７、２１８、２１９・・・から出力された交流高電圧２３９は、エキシマランプ２４０、２４１、２４２・・・の各電極に印加されることにより、各ランプは点灯する。
【特許文献１】特開平６−２３１７３３号公報
【特許文献２】特開平１１−２３３０７１号公報
【発明の開示】
【発明が解決しようとする課題】
【０００６】
通常、エキシマランプを点灯させるために、エキシマランプの電極間に数ｋＶの高電圧を印加する必要がある。そのような高電圧に対し、外部の安全性を確保することは非常に重要であり、特に、医療用の装置においては人体が直接装置に触れる可能性が高いので、感電しないように十分な安全対策を採る必要がある。
感電防止のために、エキシマランプの内側電極を高電圧、外側電極を低電圧側とし、低電圧側をアースに接続する構成が一般的に採られる。さらに、エキシマランプを取り囲むランプハウス（灯具）までをアースに接続することにより、外部からの接触可能性のある箇所の全てを接地電位とし、装置内部で高電圧が発生していても、人体に対する安全を確保することができる。
【０００７】
本件発明者は、図５に示す光源装置に基づき、安全性の高い光線治療装置を具体的に考えた。
図６は、本件発明に至る過程で考案された光線治療装置の構成を示す図、図７は、図６に示される光線治療装置の回路構成を示す図である。
これらの図において、３０１は光線治療装置、３０２は商用電源、３０３は給電端子３０３Ａと接地端子３０３Ｂを有する電源プラグ（３ピンプラグ）、３０４は電源コード、３０５は導電性の筐体からなる電源ボックス、３０５１は点灯スイッチ、３０５２はスタンバイランプ、３０５３は異常報知ランプ、３０５４は電源スイッチ、３０５５はＡＣインレット、３０５６はフィルタ回路、３０５７はＡＣ−ＤＣ変換回路、３０５８はインバータ回路、３０５９はインバータ駆動回路、３０６０は制御回路、３０６１、３０６２は接地線、３０６は導電性の支柱、３０７は導電性のアーム、３０８はケーブル、３０９は導電性の外装を有する灯具、３０９１は昇圧トランス、３０９２は低電圧配線、３０９３は高電圧配線、３０９４はエキシマランプ、３０９５はエキシマランプ３０９４の口金、３０９６はエキシマランプ３０９４から放射された紫外線を所定の方向に放射させるためのミラー、３０９７は紫外線を灯外に放射するための照射窓、３１０は光線治療装置本体を支持する支柱を支持するための台、３１１はキャスターである。
【０００８】
図６に示すように、この光線治療装置３０１は、キャスター３１１を備えた台座３１０に支柱３０６が支持され、支柱３０６に電源ボックス３０５およびアーム３０７を取り付け、さらにアーム３０７の先端に灯具３０９を装備した可動型の装置である。電源ボックス３０５と灯具３０９間は、ケーブル３０８にて電気的に接続されており、灯具３０９内に収納されたエキシマランプ３０９４を点灯するための電力が電源ボックス３０５から供給される。また、電源ボックス３０５はＡＣインレット３０５５を備えており、装置の動作に必要な電力が商用電源３０２より電源プラグ（３ピンプラグ）３０３および電源コード３０４を介して供給される。さらに、ＡＣインレット３０５５から配線された接地線３０６１は電源ボックス３０５の筐体と電気的に接続され電源ボックス３０５は接地される。その結果、電源ボックス３０５の外装−支柱３０６−アーム３０７−灯具３０９の外装間が導通させることにより、光線治療装置３０１の外郭全体が接地電位となる。
【０００９】
図６および図７において、この光線治療装置を動作させるために、電源スイッチ３０５４をオンにすると、最初にフィルタ回路３０５６に電力が供給される。フィルタ回路３０５６は、商用電源３０２に接続される装置が一般的に備えているものであり、主にコイルとコンデンサで構成されている。フィルタ回路３０５６により、商用電源３０２よりも高周波のノイズが除去され、理想的な商用電源電圧が得られる。フィルタ回路３０５６から出力された交流電圧は、ＡＣ−ＤＣ変換回路３０５７に入力され、ここで装置の駆動に必要な直流電圧に変換される。ＡＣ−ＤＣ変換回路３０５７から出力した直流電圧はインバータ回路３０５８に入力され、エキシマランプ３０９４を点灯するために必要な高周波の矩形波電圧に変換される。インバータ回路３０５８より出力された高周波の矩形波電圧は、ケーブル３０８を通して灯具３０９内にある昇圧トランス３０９１に供給され、エキシマランプ３０９４の点灯に必要な６〜１０ｋＶｐｐ程度の高電圧に変換される。その結果、エキシマランプ３０９４には高周波高電圧の矩形波電圧が印加される。
【００１０】
上述のごとく、図６および図７に示すような光線治療装置においては、安全を確保するためには接地（アース接続）することが必須条件である。しかしながら、万が一使用時に接地されていなかった場合、例えば、接地用の端子を持つ電源プラグ（３ピンプラグ）３０３を接地用の端子を持たない電源プラグ（２ピンプラグ）に変換して使用したような場合、または接地端子を備えた電源プラグ（３ピンプラグ）３０３を接地端子を備えたコンセントに接続したとしても、電源コード３０４内で断線していたり、接地線３０６１と電源ボックス３０５間が断線していたような場合には、エキシマランプ３０９４に印加される高電圧が外部に直接現れる危険性がある。このような状態で、電源スイッチ３０５４を入れ、点灯スツチ３０５１をオンすると感電する危険性がある。
【００１１】
本発明の目的は、上記の問題点に鑑みて、エキシマランプを点灯するために高電圧を印加するエキシマランプ点灯装置および光線治療装置において、感電の危険性を回避することのできるエキシマランプ点灯装置および光線治療装置を提供することにある。
【課題を解決するための手段】
【００１２】
本発明は、上記の課題を解決するために、次のような手段を採用した。
第１の手段は、交流電源と、該交流電源から供給された交流電圧の入切を制御する電源スイッチと、前記交流電源から供給された交流電圧の高周波成分をバイパスするフィルタ回路と、該フィルタ回路から出力された交流電圧を直流電圧に変換するＡＣ−ＤＣ変換回路と、該ＡＣ−ＤＣ変換回路から出力された直流電圧を高周波電圧に変換するインバータ回路と、該インバータ回路から出力された高周波電圧を昇圧する昇圧トランスと、該昇圧トランスから出力された高周波高電圧が印加されて点灯するエキシマランプとからなるエキシマランプ点灯装置において、前記エキシマランプの低圧側および前記フィルター回路から高周波成分をバイパスする第１の接地線は前記エキシマランプ点灯装置の導電性の装置本体に電気的に接続され、前記導電性の装置本体に電気的に接続された第２の接地線は給電端子と接地端子を有する電源プラグの接地端子を介してアースに接続され、前記第２の接地線に該第２の接地線に流れる電流を検出する電流センサを設け、前記電流センサに電流が流れたことを検出したとき、前記エキシマランプの点灯を可とする信号を出力する接地検出回路を設けたことを特徴とするエキシマランプ点灯装置である。
第２の手段は、第１の手段において、前記フィルタ回路は、前記交流電圧の電源ライン間に少なくとも直列接続された複数のコンデンサから構成され、前記第１の接地線の一端は前記直列接続されたコンデンサ間に接続されていることを特徴とするエキシマランプ点灯装置である。  
第３の手段は、交流電源に接続される給電端子と接地端子を有する電源プラグと、交流電源から供給された交流電圧の入切を制御する電源スイッチ、前記交流電源から供給された交流電圧の高周波成分をバイパスするフィルタ回路、該フィルタ回路から出力された交流電圧を直流電圧に変換するＡＣ−ＤＣ変換回路、および該ＡＣ−ＤＣ変換回路から出力された直流電圧を高周波電圧に変換するインバータ回路を収納する電源ボックスと、前記インバータ回路から出力された高周波電圧を昇圧する昇圧トランス、および該昇圧トランスから出力された高周波高電圧が印加されて点灯するエキシマランプを収納する灯具と、移動手段を備えた台座と、前記電源ボックスに固定された支柱と、一端に灯具を支持し他端において前記支柱に支持されるアームとからなる光線治療装置において、前記エキシマランプの低圧側は、導電性の前記灯具、導電性の前記アーム、および導電性の前記支柱を介して導電性の前記電源ボックスに電気的に接続され、前記フィルタ回路から高周波成分をバイパスする第１の接地線は前記導電性の電源ボックスに電気的に接続され、導電性の前記電源ボックスに電気的に接続された第２の接地線は前記電源プラグの接地端子を介してアースに接続され、前記第２の接地線に該第２の接地線に流れる電流を検出する電流センサを設け、前記電流センサに電流が流れたことを検出したとき、前記エキシマランプの点灯を可とする信号を出力する接地検出回路を設けたことを特徴とする光線治療装置である。  
【発明の効果】
【００１３】
本願発明のエキシマランプ点灯装置および光線治療装置によれば、仮に、接地端子を備えた電源プラグを接地用の端子を持たない電源プラグに変換して使用したような場合であっても、また接地端子を備えた電源プラグであっても、フィルタ回路からの接地線と電源プラグの接地端子のアース間において電気的接続が遮断されているような場合は、エキシマランプを点灯させようとしても点灯させることのできない、安全性の高いエキシマランプ点灯装置および光線治療装置を提供することができる。
【発明を実施するための最良の形態】
【００１４】
本発明の一本実施形態を図１から図３を用いて説明する。
図１は、本実施形態の発明に係る光線治療装置の構成を示す図、図２は図１に示した光線治療装置の回路構成を示す図である。
これらの図において、１は光線治療装置、２は商用電源、３は給電端子３Ａと接地端子３Ｂを有する電源プラグ（３ピンプラグ）、４は電源コード、５は導電性の筐体からなる電源ボックス、５１は点灯スイッチ、５２はスタンバイランプ、５３は異常報知ランプ、５４は電源スイッチ、５５はＡＣインレット、５６はフィルタ回路、５６１は電源ライン間に直列接続された複数のラインバイパスコンデンサ、５６２は直列接続されたラインバイパスコンデンサ５６１間と接地線６２との接続点、５７はＡＣ−ＤＣ変換回路、５７１はダイオードブリッジ、５７２はコンデンサ、５８はインバータ回路、５８１〜５８４はＦＥＴ、５９はインバータ駆動回路、６０は制御回路、６１、６２は接地線、６３は電流センサ、６４は接地検出回路、６４１は整流回路、６４２は比較回路、６５はリレー、６５１は開閉接点、６は導電性の支柱、７は導電性のアーム、８はケーブル、９は導電性の外装を有する灯具、９１は昇圧トランス、９２は低電圧配線、９３は高電圧配線、９４はエキシマランプ、９４１は高圧側電極、９４２は低圧側電極、９５はエキシマランプ９４の口金、９６はエキシマランプ９４から放射された紫外線を所定の方向に放射させるためのミラー、９７は紫外線を灯外に放射するための照射窓、１０は光線治療装置本体を支持する支柱を支持するための台、１１はキャスターである。
【００１５】
灯具９内の構成について詳述すると、エキシマランプ９４は２重管型で構成されており、２重管の内側に高圧側電極９４１、外側に低圧側電極９４２を備えている。エキシマランプ９４はミラー９６内に配置されており、固定するために口金９５で両端を押さえるように構成されている。低圧側電極９４２には金属メッシュ等の透光性を有する電極を使用することによってランプ側面から紫外線を取り出し、ミラー９６によって分布を整え照射窓９７から放射する。低圧側電極９４２は口金９５と電気的に接続され、口金９５はアースに接続されて接地されるので、高電圧に対する安全性が確保される。
【００１６】
この光線治療装置１は、キャスター１１を備えた移動可能な台座１０を有し、電源ボックス５に固定された支柱６は台座１０に取り付けられており、この支柱６にアーム７を取り付け、さらにアーム７の先端に灯具９を装備した可動型の装置である。電源ボックス５と灯具９との間は、ケーブル８にて電気的に接続されており、灯具９内に収納されたエキシマランプ９４を点灯するための電力が電源ボックス５から供給される。また、電源ボックス５はＡＣインレット５５を備えており、装置の動作に必要な電力が商用電源２より電源プラグ（３ピンプラグ）３および電源コード４を介して供給される。さらに、ＡＣインレット５５から配線された接地線６１は電源ボックス５の筐体と電気的に接続され導電性の電源ボックス５は接地される。その結果、電源ボックス５の外装−支柱６−アーム７−灯具９の外装間が導通させることにより、光線治療装置１の外郭全体が接地電位となる。
【００１７】
また、装置外郭全体がアースに接続され、接触可能な部位を全てが接地されているので、人体に対する安全性が確保されると共に、装置内の各素子から発生する電磁波（放射ノイズ）が外部に放出されることを防ぐこともできる。装置外装が受けた電磁波は、接地等されておらず、逃げ道がない場合は、装置外装を介して外部に電磁波が放出されるが、装置外装が接地されているので、電磁波は装置外装を通って大地に流れるため、電磁波が装置外部に放出されることを防止することができる。また、ここでは装置外装を接地する場合について説明したが、装置外装の内側に金属製の壁を設け、その壁同士を電気的に接続することによって装置外装が樹脂等の絶縁体で構成されていても同様の効果を得ることができる。
【００１８】
この光線治療装置１を動作させるために、電源スイッチ５４をオンにすると、最初にフィルタ回路５６に電力が供給される。フィルタ回路５６は、商用電源２に接続される装置が一般的に備えているものであり、主にコイルとコンデンサで構成される。フィルタ回路５６により、商用電源２よりも高周波のノイズが除去され、理想的な交流電圧が得られる。フィルタ回路５６には、コモンモードノイズと呼ばれる、電源ラインとグランド（アース）間に発生するノイズを除去するための回路の１つとして、ラインバイパスコンデンサ５６１が使用され、ラインバイパスコンデンサ５６１によって電源ラインとグランド（アース）間に発生したノイズ成分は、ラインバイパスコンデンサ５６１間の接続点５６２から接地線６２を介して接地電流としてアース１２に流れ除去される。この接地電流は一般に漏れ電流と呼ばれる。
【００１９】
接地線６２を流れる接地電流は、導電性の電源ボックス５を通って、ＡＣインレット５５から電源プラグ３の接地端子３Ｂを介してアース１２に流される。本発明では、電源ボックス５とアース１２間に設けられる接地線６１の一部にカレントトランス等からなる電流センサ６３を取り付けてこの接地電流を検出する。電流センサ６３で検出された接地電流は、後段の接地検出回路６４にて接地状態を判定するための信号を生成する。接地電流は、通常は交流電流であるので、接地検出回路６４では、電流センサ６３で検出した交流成分を整流回路６４１により直流に変換し、さらに比較回路６４２により予め設定した基準レベルとの比較を行って接地状態を判定する。接地検出回路６４によって接地状態の有無が判定された信号は、リレー６５と制御回路６０に各々入力され、リレー６５は入力された信号に応じて点灯の可／不可を決定するリレーの駆動を行い、制御回路６０は入力された信号に応じて点灯可／不可の表示を行う。なお、本実施例ではリレー６５によって電気的に点灯スイッチ５１を無効にさせているが、制御回路６０にマイコン等のＣＰＵを搭載し、ＣＰＵが接地検出回路６４からの信号レベルを判定して、ソフトウェア的に点灯スイッチ５１を無効にする制御方法を採用するこもできる。
【００２０】
フィルタ回路５６から出力された交流電圧は、ＡＣ−ＤＣ変換回路５７に入力され、ここで装置の駆動に必要な直流電圧に変換される。ＡＣ−ＤＣ変換回路５７は、基本的には、ダイオードブリッジ５７１とコンデンサ５７２の組み合わせにより構成されるが、電圧の調整や安定性向上のために、スイッチング回路や力率改善回路（ＰＦＣ）が組み合わされる場合もある。ＡＣ−ＤＣ変換回路５７にて生成された直流電圧はインバータ回路５８に入力され、エキシマランプ９４の点灯に必要な高周波の矩形波電圧に変換される。ここで、インバータ回路５８では４個のＦＥＴ５８１〜５８４を使用したフルブリッジ方式のインバータを示しており、ＦＥＴ５８１〜５８４はインバータ駆動回路５９によりオン／オフ動作が行われる。オン／オフ動作の制御は制御回路６０によって行われる。各々のＦＥＴ５８１〜５８４を所定の順序でオン／オフ動作させることにより、インバータ回路５８から出力される高周波の矩形波電圧は、ケーブル８を通して灯具９内にある昇圧トランス９１に供給され、エキシマランプ９４の点灯に必要な６〜１０ｋＶｐｐ程度の高電圧に変換される。その結果、エキシマランプ９４には高周波高電圧の矩形波電圧が印加され、エキシマランプ９４は点灯する。
なお、電源プラグ３は、２つの給電端子３Ａと１つの接地端子３Ｂを有する３ピンプラグで説明したが、２つの給電端子と２つの接地端子を有する４ピンプラグであってもよく、要は、電源プラグに給電端子と接地端子が一体的に設けられている電源プラグであればその形態にとらわれない。
【００２１】
次に、図３に示すフローチャートを用いて本発明の光線治療装置の動作について説明する。  
まず、電源スイッチ５４を投入する（ステップＳ１）。電源スィツチ５４の投入により、商用電源２からフィルタ回路５６に交流電圧が供給され、フィルター回路５６内のコンデンサおよびコイルの作用により、商用周波数より高い高周波成分がカットされ、高周波成分の一部がコンデンサの接続点５６２から接地線６２を介して電源ボックス５に接地電流として流れる。（ステップＳ２）。フィルタ回路５６から出力される商用周波数からなる交流電圧は、ＡＣ−ＤＣ変換回路５７に入力されて、交流電圧が直流電圧に変換される（ステップＳ３）。先の接地線６２から電源ボックス５に流れた接地電流（漏れ電流）は、さらに電源ボックス５から接地線６１を通ってアース１２に流れる。接地線６１を流れた接地電流（漏れ電流）は電流センサ６３によって接地電流（漏れ電流）の有無が検出される（ステップＳ４）。電流センサ６３で検出された信号電圧は接地検出回路６４に入力される。信号電圧は高周波成分を含むので整流回路６４１によって直流化され、比較回路６４２に入力される。比較回路６４２では直流化された信号電圧と基準電圧との大小が比較される。比較の結果、信号電圧が基準電圧より大きいと判断された時は、接地状態が正常であると判断し、信号電圧が基準電圧より小さいと判断された時は、接地状態が異常であると判断する（ステップＳ５）。
【００２２】
接地検出回路６４が接地状態が正常と判断した時は、接地検出回路６４から出力された判定信号は制御回路６０とリレー６５に入力され、リレー６５はオンし、リレー６５内の開閉接点６５１が閉成されると共に、スタンバイランプ５２が点灯する（ステップＳ６）。スタンバイランプ５２の点灯により、光線治療装置の利用者は、光線治療装置の接地状態が正常であることを確認する。次に、灯具９内のエキシマランプ９４を点灯すべく、点灯スイッチ５１を投入すると、開閉接点６５１が閉成されているので投入回路が形成され、制御回路６０に点灯指令信号が入力される（ステップＳ７）。制御回路６０に点灯指令信号が入力されると、制御回路６０およびインバータ駆動回路５９が作動し、インバータ駆動回路５９の出力端子Ａ、Ｂ、Ｃ、Ｄからゲート信号がインバータ回路５８の各ＦＥＴゲートＡ、Ｂ、Ｃ、Ｄに送られて、ＦＥＴ５８１〜５８４は所定の周期でオン／オフを繰り返してインバータ回路５８から高周波の矩形波電圧が出力される（ステップＳ８）。インバータ回路５８から出力された高周波の矩形波電圧はケーブル８を介して灯具９内の昇圧トランス９１に入力される。昇圧トランス９１に入力された高周波の矩形波電圧はランプ点灯に必要な高周波の高電圧に変圧され、エキシマランプ９４に印加され点灯する（ステップＳ９）。
【００２３】
一方、接地検出回路６４が接地状態が異常と判断した時は、接地検出回路６４から出力された判定信号は制御回路６０とリレー６５に入力されるが、リレー６５はオフし、リレー６５内の開閉接点６５１は開成された状態を維持すると共に、異常報知ランプ５３が点灯する（ステップＳ１０）。異常報知ランプ５３の点灯により、光線治療装置の利用者は、光線治療装置の接地状態が異常状態にあることを確認する。さらに、灯具９内のエキシマランプ９４を点灯すべく、投入スイッチ５１を投入しようとしても、リレー６５の開閉接点６５１が開成されているので投入回路が形成されない。（ステップＳ１１）。また制御回路６０およびインバータ駆動回路５９も作動せず、インバータ駆動回路５９の出力端子Ａ、Ｂ、Ｃ、Ｃからゲート信号が出力されず、インバータ回路５８は動作しない（ステップＳ１２）。その結果、接地状態が異常状態にある場合は、エキシマランプ９４に高電圧が印加されることはなく、感電の危険性を回避することができる（ステップ１３）。
【図面の簡単な説明】
【００２４】
【図１】一実施形態の発明に係る光線治療装置の構成を示す図である。
【図２】図１に示した光線治療装置の回路構成を示す図である。
【図３】光線治療装置の動作を説明するためのフローチャートである。
【図４】光線治療装置の光源として、特開平６−２３１７３３号公報に示されたエキシマランプの概略構成を示す図である。
【図５】エキシマランプを点灯する光源装置として、特開平１１−２３３０７１号公報に示された光源装置の回路構成を示す図である。
【図６】本件発明に至る過程で考案された光線治療装置の構成を示す図である。
【図７】図６に示される光線治療装置の回路構成を示す図である。
【符号の説明】
【００２５】
１  光線治療装置
２  商用電源
３  電源プラグ（３ピンプラグ）
３Ａ  給電端子
３Ｂ  接地端子
４  電源コード
５  電源ボックス
５１  点灯スイッチ
５２  スタンバイランプ
５３  異常報知ランプ
５４  電源スイッチ
５５  ＡＣインレット
５６  フィルタ回路
５６１  ラインバイパスコンデンサ
５７  ＡＣ−ＤＣ変換回路
５７１  ダイオードブリッジ
５７２  コンデンサ
５８  インバータ回路
５８１〜５８４  ＦＥＴ
５９  インバータ駆動回路
６０  制御回路
６１、６２  接地線
６３  電流センサ
６４  接地検出回路
６４１  整流回路
６４２  比較回路
６５  リレー
６５１  開閉接点
６  支柱
７  アーム
８  ケーブル
９  灯具
９１  昇圧トランス
９２  低電圧配線
９３  高電圧配線
９４  エキシマランプ
９４１  高圧側電極
９４２  低圧側電極
９５  口金
９６  照射窓
１０  台座
１１  キャスター
【図１】
2009022410.tif 000003
【図２】
2009022410.tif 000004
【図３】
2009022410.tif 000005
【図４】
2009022410.tif 000006
【図５】
2009022410.tif 000007
【図６】
2009022410.tif 000008
【図７】
2009022410.tif 000009